(57)【要約】【課題】装置の周波数ずれを検出し通報を行うこと。【解決手段】周波数ずれ検出システムは、現在時刻を送信するサーバ手段と、周波数ずれ検出装置と、を備える。周波数ずれ検出装置は、サーバ手段からの現在時刻を記憶する記憶手段と、クロック信号を所定周期で生成する信号生成手段と、クロック信号に基づいてカウント値を算出するカウント手段と、記憶手段の第１の現在時刻とカウント値から算出した経過時間とに基づいて算出した現在時刻と、記憶手段の第２の現在時刻と、の差分が第１所定閾値以上であるか否かを判定する第１判定手段と、第１判定手段により差分が第１所定閾値以上であると判定されたとき、サーバ手段から第１の現在時刻を受信したときからの経過時間が第２所定閾値以下のとき周波数ずれが発生していると判定する第２判定手段と、第２判定手段により周波数ずれが発生していると判定されたとき、監視装置に通報を行う通報手段と、を有する。【選択図】図１
2014127982.tif 000002
【特許請求の範囲】
【請求項１】
現在時刻を送信するサーバ手段と、
前記サーバ手段から送信された現在時刻を記憶する記憶手段と、クロック信号を所定周期で生成する信号生成手段と、前記信号生成手段により生成されたクロック信号に基づいてカウント値を算出するカウント手段と、前記記憶手段に記憶された第１の現在時刻と前記カウント手段により算出されたカウント値から算出した経過時間とに基づいて算出した現在時刻と、前記記憶手段に記憶された第２の現在時刻と、の差分が第１所定閾値以上であるか否かを判定する第１判定手段と、前記第１判定手段により前記差分が前記第１所定閾値以上であると判定されたとき、前記サーバ手段から前記第１の現在時刻を受信したときからの経過時間と第２所定閾値とを比較して、該経過時間が前記第２所定閾値以下のとき周波数ずれが発生していると判定する第２判定手段と、前記第２判定手段により前記周波数ずれが発生していると判定されたとき、監視装置に通報を行う通報手段と、を有する周波数ずれ検出装置と、
を備えることを特徴とする周波数ずれ検出システム。
【請求項２】
タイムサーバから送信された現在時刻を記憶する記憶手段と、
クロック信号を所定周期で生成する信号生成手段と、
前記信号生成手段により生成されたクロック信号に基づいてカウント値を算出するカウント手段と、
前記記憶手段に記憶された第１の現在時刻と前記カウント手段により算出されたカウント値から算出された経過時間とに基づいて算出した現在時刻と、前記記憶手段に記憶された第２の現在時刻と、の差分が第１所定閾値以上であるか否かを判定する第１判定手段と、
前記第１判定手段により前記差分が前記第１所定閾値以上であると判定されたとき、前記タイムサーバから前記第１の現在時刻を受信したときからの経過時間と第２所定閾値とを比較して、該経過時間が前記第２所定閾値以下のとき周波数ずれが発生していると判定する第２判定手段と、前記第２判定手段により前記周波数ずれが発生していると判定されたとき、監視装置に通報を行う通報手段と、を備えることを特徴とする周波数ずれ検出装置。
【請求項３】
現在時刻を送信するステップと、
クロック信号を所定周期で生成するステップと、
前記生成されたクロック信号に基づいてカウント値を算出するステップと、
前記送信された第１の現在時刻と前記算出されたカウント値から算出された経過時間とに基づいて算出した現在時刻と、前記送信された第２の現在時刻と、の差分が第１所定閾値以上であるか否かを判定するステップと、
前記差分が前記第１所定閾値以上であると判定されたとき、前記第１の現在時刻を受信したときからの経過時間と第２所定閾値とを比較して、該経過時間が前記第２所定閾値以下のとき周波数ずれが発生していると判定するステップと、
前記周波数ずれが発生していると判定されたとき、監視装置に通報を行うステップと、
を含む、ことを特徴とする周波数ずれ検出方法。
【発明の詳細な説明】
【技術分野】
【０００１】
本発明は、装置の周波数のずれを検出する周波数ずれ検出システム、周波数ずれ検出装置、及び周波数ずれ検出方法に関するものである。
【背景技術】
【０００２】
高精度に動作する様々な装置は、発振器の出力する信号に基づいて動作しているが、この発振器の周波数にずれが生じることがある。このため、その周波数のずれを検出し補正を行う必要が生じている。
【先行技術文献】
【特許文献】
【０００３】
【特許文献１】特開２００５−０５１４７０号公報
【発明の概要】
【発明が解決しようとする課題】
【０００４】
例えば、装置の発振器の経年変化による周波数ずれ量の最大値を予め算出し、その最大値が周波数ずれ量の許容値を超える時間を計算し、その計算時間に基づいて、周波数調整を行うことが行われている。その場合、実際にはまだ周波数ずれが許容される状態であっても、装置の設置場所に行き、周波数測定を行う必要が生じるため、利便性に欠ける。なお、サーバから送信される現在時刻を用いて装置の周波数ずれを検出し通知を行う監視装置が知られているが、本願発明と構成が相違する。
【０００５】
本発明は、このような問題点を解決するためになされたものであり、装置の周波数ずれを自動的に検出し通報を行う周波数ずれ検出システム、周波数ずれ検出装置、及び周波数ずれ検出方法を提供することを主たる目的とする。
【課題を解決するための手段】
【０００６】
上記目的を達成するための本発明の一態様は、現在時刻を送信するサーバ手段と、前記サーバ手段から送信された現在時刻を記憶する記憶手段と、クロック信号を所定周期で生成する信号生成手段と、前記信号生成手段により生成されたクロック信号に基づいてカウント値を算出するカウント手段と、前記記憶手段に記憶された第１の現在時刻と前記カウント手段により算出されたカウント値から算出した経過時間とに基づいて算出した現在時刻と、前記記憶手段に記憶された第２の現在時刻と、の差分が第１所定閾値以上であるか否かを判定する第１判定手段と、前記第１判定手段により前記差分が前記第１所定閾値以上であると判定されたとき、前記サーバ手段から前記第１の現在時刻を受信したときからの経過時間と第２所定閾値とを比較して、該経過時間が前記第２所定閾値以下のとき周波数ずれが発生していると判定する第２判定手段と、前記第２判定手段により前記周波数ずれが発生していると判定されたとき、監視装置に通報を行う通報手段と、を有する周波数ずれ検出装置と、を備えることを特徴とする周波数ずれ検出システムである。
他方、上記目的を達成するための本発明の一態様は、タイムサーバから送信された現在時刻を記憶する記憶手段と、クロック信号を所定周期で生成する信号生成手段と、前記信号生成手段により生成されたクロック信号に基づいてカウント値を算出するカウント手段と、前記記憶手段に記憶された第１の現在時刻と前記カウント手段により算出されたカウント値から算出された経過時間とに基づいて算出した現在時刻と、前記記憶手段に記憶された第２の現在時刻と、の差分が第１所定閾値以上であるか否かを判定する第１判定手段と、前記第１判定手段により前記差分が前記第１所定閾値以上であると判定されたとき、前記タイムサーバから前記第１の現在時刻を受信したときからの経過時間と第２所定閾値とを比較して、該経過時間が前記第２所定閾値以下のとき周波数ずれが発生していると判定する第２判定手段と、前記第２判定手段により前記周波数ずれが発生していると判定されたとき、監視装置に通報を行う通報手段と、を備えることを特徴とする周波数ずれ検出装置であってもよい。
さらに、上記目的を達成するための本発明の一態様は、現在時刻を送信するステップと、クロック信号を所定周期で生成するステップと、前記生成されたクロック信号に基づいてカウント値を算出するステップと、前記送信された第１の現在時刻と前記算出されたカウント値から算出された経過時間とに基づいて算出した現在時刻と、前記送信された第２の現在時刻と、の差分が第１所定閾値以上であるか否かを判定するステップと、前記差分が前記第１所定閾値以上であると判定されたとき、前記第１の現在時刻を受信したときからの経過時間と第２所定閾値とを比較して、該経過時間が前記第２所定閾値以下のとき周波数ずれが発生していると判定するステップと、前記周波数ずれが発生していると判定されたとき、監視装置に通報を行うステップと、を含む、ことを特徴とする周波数ずれ検出方法であってもよい。
【発明の効果】
【０００７】
本発明によれば、装置の周波数ずれを自動的に検出し通報を行う周波数ずれ検出システム、周波数ずれ検出装置、及び周波数ずれ検出方法を提供することができる。
【図面の簡単な説明】
【０００８】
【図１】本発明の一実施の形態に係る周波数ずれ検出システムの機能ブロック図である。
【図２】本発明の一実施の形態に係る周波数ずれ検出システムの概略的なシステム構成を示すブロック図である。
【図３】本発明の一実施の形態に係る周波数ずれ検出装置の概略的なシステム構成を示すブロック図である。
【図４】本発明の一実施の形態に係る周波数ずれ検出システムによる周波数ずれ検出方法のフローを示すフローチャートである。
【発明を実施するための形態】
【０００９】
以下、図面を参照して本発明の実施の形態について説明する。図１は、本発明の一実施の形態に係る周波数ずれ検出システムの機能ブロック図である。本実施の形態に係る周波数ずれ検出システム１は、現在時刻を送信するサーバ手段２と、サーバ手段２から送信される現在時刻を用いて周波数ずれを検出する周波数ずれ検出装置３と、を備えている。周波数ずれ検出装置３は、サーバ手段２から送信された現在時刻を記憶する記憶手段４と、クロック信号を所定周期で生成する信号生成手段５と、信号生成手段５により生成されたクロック信号に基づいてカウント値を算出するカウント手段６と、記憶手段４に記憶された第１の現在時刻とカウント手段６により算出されたカウント値に基づいて算出された経過時間とに基づいて算出した現在時刻と、記憶手段４に記憶された第２の現在時刻と、の差分が第１所定閾値以上であるか否かを判定する第１判定手段７と、第１判定手段７により差分が第１所定閾値以上であると判定されたとき、サーバ手段２から第１の現在時刻を受信したときからの経過時間と第２所定閾値とを比較して、経過時間が第２所定閾値以下のとき周波数ずれが発生していると判定する第２判定手段８と、第２判定手段８により周波数ずれが発生していると判定されたとき、監視装置９に通報を行う通報手段１０と、を有している。
【００１０】
本実施の形態に係る周波数ずれ検出システム１によれば、サーバ手段２から送信される現在時刻と装置自身が算出した現在時刻とを比較して周波数ずれを検出し、その周波数ずれの結果を監視装置９に通報することができる。したがって、装置の周波数ずれを自動的に検出し通報を行うことができる。
【００１１】
図２は、本実施の形態に係る周波数ずれ検出システムの概略的なシステム構成を示すブロック図である。本実施の形態に係る周波数ずれ検出システム１は、通信ネットワーク１１を介して相互に接続された、タイムサーバ１２と、周波数ずれ検出装置１３と、監視制御装置９と、を備えている。
【００１２】
タイムサーバ１２は、サーバ手段の一具体例であり、通信ネットワーク１１を介して、現在時刻を周波数ずれ検出装置１３に対して送信する。タイムサーバ１２は、例えば、国立天文台などのＮＴＰ（Network Time Protocol）サーバである。このＮＴＰサーバは、正確な現在時刻情報を発信するように構成されている。
【００１３】
周波数ずれ検出装置１３は、通信ネットワーク１１を介して受信した現在時刻を用いて、装置の周波数ずれを検出する。周波数ずれ検出装置１３は、周波数ずれを検出すると、通信ネットワーク１１を介して監視制御装置９に対して通報を行う。
【００１４】
通信ネットワーク１１は、インターネット、ＬＡＮ（Local Area Network）、WAN（Wide Area Network）などを含む有線あるいは無線からなるネットワークである。
【００１５】
監視制御装置９は、表示装置、音声出力装置、などの出力装置を備え、監視を行う装置である。監視制御装置９は、周波数ずれ検出装置１３から通信ネットワーク１１を介して通報を受けると、例えば、ユーザに対して周波数ずれが生じたことを示す警告音、警告表示などを出力する。
【００１６】
図３は、本実施の形態に係る周波数ずれ検出装置の概略的なシステム構成を示すブロック図である。本実施の形態に係る周波数ずれ検出装置１３は、メモリ１４と、高安定発振器１５と、クロック生成部１６と、カウンタ１７と、制御部１８と、無線部１９と、を有している。
【００１７】
なお、周波数ずれ検出装置１３は、例えば、制御処理、演算処理等と行うＣＰＵ（Central Processing Unit）１３ａ、ＣＰＵ１３ａによって実行される制御プログラム、演算プログラム等が記憶されたＲＯＭ（Read Only Memory）１３ｂ、処理データ等を一時的に記憶するＲＡＭ（Random Access Memory）１３ｃ等からなるマイクロコンピュータを、中心にしてハードウェア構成されている。ＣＰＵ１３ａ、ＲＯＭ１３ｂ、及びＲＡＭ１３ｃは、データバスなどを介して相互に接続されている。
【００１８】
メモリ１４は、記憶手段の一具体例であり、タイムサーバ１２から送信される現在時刻を逐次記憶する。メモリ１４は、例えば、上記ＲＯＭ１３ｂやＲＡＭ１３ｃなどで構成されている。メモリ１４にはタイムサーバ１２から最初に送信された第１の現在時刻と、その後に送信された第２の現在時刻と、が記憶されている。制御部１８は、無線部１９を介してタイムサーバ１２から受信した現在時刻をメモリ１４に記憶させる。
【００１９】
高安定発振器１５は、所定周波数で出力信号を生成し、クロック生成部１６に対して送信する。高安定発振器１５は、調整された周波数の出力信号を長期間に渡り安定して発振し続ける機能を有している。
【００２０】
クロック生成部１６は、信号生成手段の一具体例であり、高安定発振器１５からの出力信号を分周または逓倍してクロック信号を生成する。クロック生成部１６は、生成したクロック信号をカウンタ１７、制御部１８、無線部１９に対して送信する。
【００２１】
カウンタ１７は、カウント手段の一具体例であり、クロック生成部１６からのクロック信号に基づいてカウント行い、カウント値を算出する。カウンタ１７は、例えば、クロック生成部１７から送信されるクロック信号を受信する毎にカウントアップを行うことで、カウント値を算出する。カウンタ１７は、算出したカウント値を制御部１８に対して送信する。
【００２２】
制御部１８は、タイムサーバ１２から送信された現在時刻がメモリ１４に記憶されると、カウンタ１７からのカウント値を０クリアする。制御部１８は、第１判定部１８１と、第２判定部１８２と、通報部１８３と、を有している。
【００２３】
第１判定部１８１は、第１判定手段の一具体例であり、カウンタ１７からのカウント値に基づいて経過時間を算出する。第１判定部１８１は算出した経過時間と、メモリ１４に記憶された第１の現在時刻と、に基づいて実際の現在時刻を算出する。第１判定部１８１は、算出した現在時刻と、メモリ１４に記憶された第２の現在時刻と、の差分を算出する。第１判定部１８１は、算出した差分と、メモリ１４に予め記憶された第１所定閾値と、を比較し、算出した差分が第１所定閾値以上であるか否かを判定する。第１判定部１８１は、その判定結果を第２判定部１８２に対して送信する。
【００２４】
第２判定部１８２は、第２判定手段の一具体例であり、第１判定部１８１により差分が第１所定閾値以上であると判定されたとき、タイムサーバ１２から第１の現在時刻を受信したときからの経過時間を算出する。第２判定部１８２は、算出した経過時間と、メモリ１４に予め記憶された第２所定閾値と、を比較する。第２判定部１８２は、算出した経過時間が第２所定閾値以下のとき、周波数ずれが発生していると判定する。第２判定部１８２はその判定結果を通報部１８３に送信する。
【００２５】
通報部１８３は、通報手段の一具体例であり、第２判定部１８２からの判定結果に応じて、監視制御装置９に対して、周波数ずれが生じている旨の通報を行う。通報部１８３は、第２判定部１８２から周波数ずれが発生している旨の判定結果を受信すると、監視制御装置９に対して通報を行う。通報部１８３は、無線部１９及び通信ネットワーク１１を介して監視制御装置９に対して通報信号を送信することで通報を行う。
【００２６】
無線部１９は、通信ネットワーク１１と無線で通信接続するインターフェイスとしての機能を有している。無線部１９は、クロック生成部１６で生成されたクロック信号に基づいて無線信号に必要な高周波を生成する。無線部１９は、制御部１８から送信されるデータに変調をかけて通信ネットワーク１１に送信する。一方、無線部１９は、通信ネットワーク１１から受信した無線信号を復調し、そのデータを制御部１８に送信する。
【００２７】
次に、タイムサーバ１２から送信される現在時刻に基づいて、周波数ずれを算出する方法について詳細に説明する。
【００２８】
まず、タイムサーバ１２から送信される現在時刻をメモリ１４に記憶させた後、カウンタ１７のカウント値を０クリアしたタイミングから現在までの経過時間を下記２つの（１）及び（２）の方法で計算できる。
【００２９】
（１）タイムサーバ１２から現在時刻を取得し、メモリ１４に保存した現在時刻との差分を求めることで経過時間を計算する。この方法はより高精度かつ絶対的な経過時間となる。
（２）カウンタ１７のカウント値に１カウントにかかる周期を乗算することで経過時間を計算する。この方法は、装置内クロックによる経過時間となる。
【００３０】
上記（１）及び（２）の経過時間を下記式で計算することで、周波数ずれを計算することができる。
周波数ずれ＝（絶対的な経過時間−装置内クロックによる経過時間）／経過時間
【００３１】
ここで、上述した第１所定閾値は、上記式において[絶対的な経過時間−装置内クロックによる経過時間]により算出できる。また、上述した第２所定閾値は、上記式における[経過時間]に相当する。なお、この第２所定閾値は、上記の[絶対的な経過時間]、[装置内クロックによる経過時間]のいずれでもよい。例えば、１％の周波数ずれを検出する場合、差分の第１所定閾値を１秒、経過時間の第２所定閾値を１００秒としてもよい。
【００３２】
次に、本実施の形態に係る周波数ずれ検出システムによる周波数ずれ検出方法について詳細に説明する。図４は、本実施の形態に係る周波数ずれ検出システムによる周波数ずれ検出方法のフローを示すフローチャートである。
【００３３】
周波数ずれ検出装置１３の制御部１８は、その電源がオン状態となり起動すると（ステップＳ１０１）、タイムサーバ１２から通信ネットワーク１１を介して第１の現在時刻を受信し、メモリ１４に記憶させる（ステップＳ１０２）。
【００３４】
周波数ずれ装置１３の制御部１８は、タイムサーバ１２から送信された第１の現在時刻がメモリ１４に記憶されると、カウンタ１７からのカウント値を０クリアする（ステップＳ１０３）。
【００３５】
その後、周波数ずれ検出装置１３の制御部１８は、再度、タイムサーバ１２から通信ネットワーク１１を介して第２の現在時刻を受信し（ステップＳ１０４）、メモリ１４に記憶させる。
【００３６】
周波数ずれ検出装置１３の制御部１８は、カウンタ１７からカウント値を読込む（ステップＳ１０５）。周波数ずれ検出装置１３の制御部１８は、メモリ１４から第１の現在時刻を読込む（ステップＳ１０６）。周波数ずれ検出装置１３の制御部１８は、カウンタ１７からのカウント値とメモリ１４からの第１の現在時刻とに基づいて実際の現在時刻を算出する（ステップＳ１０７）。
【００３７】
周波数ずれ検出装置１３の制御部１８は、算出した現在時刻とメモリ１４から読込んだ第２の現在時刻との差分を算出する（ステップＳ１０８）。
【００３８】
周波数ずれ検出装置１３の制御部１８は、算出した差分が第１所定閾値以上であるか否かを判定する（ステップＳ１０９）。
【００３９】
周波数ずれ検出装置１３の制御部１８は、算出した差分が第１所定閾値以上であると判定したとき（ステップＳ１０９のＹＥＳ）、タイムサーバ１２から第１の現在時刻を受信したときからの経過時間を算出する。そして、周波数ずれ検出装置１３の制御部１８は、算出した経過時間が第２所定閾値以下であるか否かを判定する（ステップＳ１１０）。一方、周波数ずれ検出装置１３の制御部１８は、算出した差分が第１所定閾値以上でないと判定したとき（ステップＳ１０９のＮＯ）、上記（ステップＳ１０４）の処理に戻る。
【００４０】
周波数ずれ検出装置１３の制御部１８は、算出した経過時間が第２所定閾値以下であるか否かを判定する（ステップＳ１１０）。
【００４１】
周波数ずれ検出装置１３の制御部１８は、算出した経過時間が第２所定閾値以下であると判定したとき（ステップＳ１１０のＹＥＳ）、周波数ずれが発生していると判定する。そして、周波数ずれ検出装置１３の制御部１８は、無線部１９及び通信ネットワーク１１を介して、監視制御装置９に対して通報信号を送信することで通報を行う（ステップＳ１１１）。一方、周波数ずれ検出装置１３の制御部１８は、算出した経過時間が第２所定閾値以下でないと判定したとき（ステップＳ１１０のＮＯ）、上記（ステップＳ１０２）の処理に戻る。
【００４２】
以上、本実施の形態に係る周波数ずれ検出システムにおいて、クロック生成部１６により生成されたクロック信号に基づいてカウント値を算出し、カウンタ１７により算出されたカウント値に基づいて経過時間を算出する。算出した経過時間とメモリ１４に記憶された第１の現在時刻とに基づいて算出した現在時刻と、メモリ１４に記憶された第２の現在時刻と、の差分が第１所定閾値以上であるか否かを判定し、その差分が第１所定閾値以上であると判定されたとき、タイムサーバ１２から第１の現在時刻を受信したときからの経過時間と第２所定閾値とを比較する。その経過時間が第２所定閾値以下のとき周波数ずれが発生していると判定し、監視制御装置９に自動的に通報を行う。これにより、装置の周波数ずれを自動的に検出し通報を行うことができる。
したがって、例えば、高安定発振器１５の経年変化による周波数ずれを、装置の設置場所まで態々行って周波数測定を行うことなく検出可能となり、ユーザの利便性が向上する。
【００４３】
なお、本発明は上記実施の形態に限られたものではなく、趣旨を逸脱しない範囲で適宜変更することが可能である。
【００４４】
上記実施の形態の一部又は全部は、以下の付記のようにも記載されうるが、以下には限られない。
【００４５】
（付記１）
現在時刻を送信するサーバ手段と、
前記サーバ手段から送信された現在時刻を記憶する記憶手段と、クロック信号を所定周期で生成する信号生成手段と、前記信号生成手段により生成されたクロック信号に基づいてカウント値を算出するカウント手段と、前記記憶手段に記憶された第１の現在時刻と前記カウント手段により算出されたカウント値から算出した経過時間とに基づいて算出した現在時刻と、前記記憶手段に記憶された第２の現在時刻と、の差分が第１所定閾値以上であるか否かを判定する第１判定手段と、前記第１判定手段により前記差分が前記第１所定閾値以上であると判定されたとき、前記サーバ手段から前記第１の現在時刻を受信したときからの経過時間と第２所定閾値とを比較して、該経過時間が前記第２所定閾値以下のとき周波数ずれが発生していると判定する第２判定手段と、前記第２判定手段により前記周波数ずれが発生していると判定されたとき、監視装置に通報を行う通報手段と、を有する周波数ずれ検出装置と、
を備えることを特徴とする周波数ずれ検出システム。
（付記２）
タイムサーバから送信された現在時刻を記憶する記憶手段と、
クロック信号を所定周期で生成する信号生成手段と、
前記信号生成手段により生成されたクロック信号に基づいてカウント値を算出するカウント手段と、
前記記憶手段に記憶された第１の現在時刻と前記カウント手段により算出されたカウント値から算出された経過時間とに基づいて算出した現在時刻と、前記記憶手段に記憶された第２の現在時刻と、の差分が第１所定閾値以上であるか否かを判定する第１判定手段と、
前記第１判定手段により前記差分が前記第１所定閾値以上であると判定されたとき、前記タイムサーバから前記第１の現在時刻を受信したときからの経過時間と第２所定閾値とを比較して、該経過時間が前記第２所定閾値以下のとき周波数ずれが発生していると判定する第２判定手段と、前記第２判定手段により前記周波数ずれが発生していると判定されたとき、監視装置に通報を行う通報手段と、を備えることを特徴とする周波数ずれ検出装置。
（付記３）
現在時刻を送信するステップと、
クロック信号を所定周期で生成するステップと、
前記生成されたクロック信号に基づいてカウント値を算出するステップと、
前記送信された第１の現在時刻と前記算出されたカウント値から算出された経過時間とに基づいて算出した現在時刻と、前記送信された第２の現在時刻と、の差分が第１所定閾値以上であるか否かを判定するステップと、
前記差分が前記第１所定閾値以上であると判定されたとき、前記第１の現在時刻を受信したときからの経過時間と第２所定閾値とを比較して、該経過時間が前記第２所定閾値以下のとき周波数ずれが発生していると判定するステップと、
前記周波数ずれが発生していると判定されたとき、監視装置に通報を行うステップと、
を含む、ことを特徴とする周波数ずれ検出方法。
【符号の説明】
【００４６】
１    周波数ずれ検出システム
２    サーバ手段
３    周波数ずれ検出装置
４    記憶手段
５    信号生成手段
６    カウント手段
７    第１判定手段
８    第２判定手段
９    監視制御装置
１０    通報手段
１１    通信ネットワーク
１２    タイムサーバ
１３    周波数ずれ検出装置
１４    メモリ
１５    高安定発振器
１６    クロック生成部
１７    カウンタ
１８    制御部
１９    無線部
１８１    第１判定部
１８２    第２判定部
１８３    通報部
【図１】
2014127982.tif 000003
【図２】
2014127982.tif 000004
【図３】
2014127982.tif 000005
【図４】
2014127982.tif 000006